(57)【特許請求の範囲】
【請求項１】
電力供給機器から電子機器に給電を行う電力供給システムであって、
前記電力供給機器は、ＡＣ電力と高圧ＤＣ電力の少なくとも一方と低圧ＤＣ電力の何れを出力するのかを選択可能に構成された送電部を備え、
前記電子機器は、前記ＡＣ電力と前記高圧ＤＣ電力の少なくとも一方と前記低圧ＤＣ電力が入力可能に構成された受電部と、前記ＡＣ電力又は前記高圧ＤＣ電力を前記低圧ＤＣ電力に変換する電力変換回路と、前記低圧ＤＣ電力で動作する本体回路を備え、
前記受電部は、前記受電部に入力される電力が前記電力変換回路を経て前記本体回路に供給されるか、又は前記受電部に入力される電力が前記本体回路に直接供給されるかを選択可能に構成され、
前記ＡＣ電力と前記高圧ＤＣ電力の少なくとも一方と前記低圧ＤＣ電力が、共通の電源ケーブルを通じて、前記電力供給機器から前記電子機器に給電されるように構成される、電力供給システム。
【請求項２】
電力供給機器から電子機器に給電を行う電力供給システムであって、
前記電力供給機器は、ＡＣ電力と高圧ＤＣ電力の少なくとも一方と低圧ＤＣ電力の何れを出力するのかを選択可能に構成された送電部を備え、
前記電子機器は、前記ＡＣ電力と前記高圧ＤＣ電力の少なくとも一方と前記低圧ＤＣ電力が入力可能に構成された受電部と、前記ＡＣ電力又は前記高圧ＤＣ電力を前記低圧ＤＣ電力に変換する電力変換回路と、前記低圧ＤＣ電力で動作する本体回路を備え、
前記受電部は、前記受電部に入力される電力が前記電力変換回路を経て前記本体回路に供給されるか、又は前記受電部に入力される電力が前記本体回路に直接供給されるかを選択可能に構成され、
前記電子機器は、前記受電部及び前記本体回路を有する本体部と、前記電力変換回路を有し且つ前記本体部に対して着脱可能に構成された外付回路部を備える、電力供給システム。
【請求項３】
前記本体回路は、前記電子機器に装着された外付バッテリから供給される電力で動作可能に構成される、請求項１又は請求項２に記載の電力供給システム。
【請求項４】
前記電子機器は、前記受電部に入力される電力の種類を判別する受電側制御部を備え、前記受電部は、前記受電側制御部によって制御されて前記選択を行うように構成される、請求項１〜請求項３の何れか１つに記載の電力供給システム。
【請求項５】
電力供給機器から電子機器に給電を行う電力供給システムであって、
前記電力供給機器は、ＡＣ電力と高圧ＤＣ電力の少なくとも一方と低圧ＤＣ電力の何れを出力するのかを選択可能に構成された送電部を備え、
前記電子機器は、前記ＡＣ電力と前記高圧ＤＣ電力の少なくとも一方と前記低圧ＤＣ電力が入力可能に構成された受電部と、前記ＡＣ電力又は前記高圧ＤＣ電力を前記低圧ＤＣ電力に変換する電力変換回路と、前記低圧ＤＣ電力で動作する本体回路を備え、
前記受電部は、前記受電部に入力される電力が前記電力変換回路を経て前記本体回路に供給されるか、又は前記受電部に入力される電力が前記本体回路に直接供給されるかを選択可能に構成され、
前記電子機器は、前記受電部に入力される電力の種類を判別する受電側制御部を備え、前記受電部は、前記受電側制御部によって制御されて前記選択を行うように構成され、
前記電力供給機器は、前記受電側制御部と通信して前記送電部が出力する電力の種類を決定する送電側制御部を備え、前記送電部は、前記送電側制御部によって制御されて前記選択を行うように構成される、電力供給システム。
【請求項６】
電力供給機器から電子機器に給電を行う電力供給システムであって、
前記電力供給機器は、ＡＣ電力と高圧ＤＣ電力の少なくとも一方と低圧ＤＣ電力の何れを出力するのかを選択可能に構成された送電部を備え、
前記電子機器は、前記ＡＣ電力と前記高圧ＤＣ電力の少なくとも一方と前記低圧ＤＣ電力が入力可能に構成された受電部と、前記ＡＣ電力又は前記高圧ＤＣ電力を前記低圧ＤＣ電力に変換する電力変換回路と、前記低圧ＤＣ電力で動作する本体回路を備え、
前記受電部は、前記受電部に入力される電力が前記電力変換回路を経て前記本体回路に供給されるか、又は前記受電部に入力される電力が前記本体回路に直接供給されるかを選択可能に構成され、
前記電子機器は、前記受電部に入力される電力を出力する送電部を備える、電力供給システム。
【請求項７】
前記電力供給機器は、ＡＣ電力と低圧ＤＣ電力の両方が入力可能に構成される、請求項１〜請求項６の何れか１つに記載の電力供給システム。
【請求項８】
前記送電部は、前記電力供給機器に入力された前記ＡＣ電力を電力変換回路で変換して得られた前記高圧ＤＣ電力と、前記電力供給機器に入力された前記低圧ＤＣ電力が出力可能に構成される、請求項７に記載の電力供給システム。
【請求項９】
前記送電部は、前記電力供給機器に入力された前記ＡＣ電力及び前記低圧ＤＣ電力が出力可能に構成される、請求項７に記載の電力供給システム。
【請求項１０】
前記高圧ＤＣ電力は、４０〜４００ＶのＤＣ電力であり、前記低圧ＤＣ電力は、２５Ｖ以下のＤＣ電力である、請求項１〜請求項９の何れか１つに記載の電力供給システム。
【請求項１１】
請求項１〜請求項１０の何れか１つに記載の電力供給システムを備える光伝送システムであって、
前記電子機器は、カメラアダプタであり、前記電力供給機器は、ベースステーションであり、前記カメラアダプタと前記ベースステーションの間で光伝送が行われる、光伝送システム。
【発明の詳細な説明】
【技術分野】
【０００１】
本発明は、電力供給システム、及び光伝送システムに関する。
【背景技術】
【０００２】
ビデオカメラで撮影された映像の映像信号は、伝送ケーブルを介して、スイッチャーなどに送られるが、これらの機器が遠方に設置されている場合、電気信号を減衰させずに伝送することは困難なので、ビデオカメラに設置されたカメラアダプタで電気信号を光信号に変換し、この光信号を光伝送ケーブルを介して伝送し、遠方に設置されたベースステーションで光信号を電気信号に変換することによって、長距離伝送が行われている（特許文献１）。
【０００３】
一般に、ベースステーションにＡＣ電力が入力され、このＡＣ電力がそのまま又は昇圧されてカメラアダプタに給電されるか（ＡＣ給電）、ベースステーションにおいてＡＣ電力が高圧ＤＣ電力（例：１３９Ｖ）に変換されてカメラアダプタに給電されている。そして、カメラアダプタにおいて、ＡＣ電力又は高圧ＤＣ電力が低圧ＤＣ電力（例：１５Ｖ）に変換され、この低圧ＤＣ電力でカメラアダプタの種々の機能を実現するための本体回路が動作する。
【先行技術文献】
【特許文献】
【０００４】
【特許文献１】特開２０１４−２３０４２号公報
【発明の概要】
【発明が解決しようとする課題】
【０００５】
しかし、上記の方法では、ベースステーションにＡＣ電力を供給できない場合には、ベースステーションからカメラアダプタに給電することができず、カメラアダプタを外付バッテリで駆動するしかない。しかし、外付バッテリは重いので、カメラマンの負担が増大してしまう。
【０００６】
本発明はこのような事情に鑑みてなされたものであり、電力供給機器にＡＣ電力を供給できない場合でも電子機器に外付バッテリを装着することなく、電子機器を使用可能な電力供給システムを提供するものである。
【課題を解決するための手段】
【０００７】
本発明によれば、電力供給機器から電子機器に給電を行う電力供給システムであって、前記電力供給機器は、ＡＣ電力と高圧ＤＣ電力の少なくとも一方と低圧ＤＣ電力の何れを出力するのかを選択可能に構成された送電部を備え、前記電子機器は、前記ＡＣ電力と前記高圧ＤＣ電力の少なくとも一方と前記低圧ＤＣ電力が入力可能に構成された受電部と、前記前記ＡＣ電力又は前記高圧ＤＣ電力を前記低圧ＤＣ電力に変換する電力変換回路と、前記低圧ＤＣ電力で動作する本体回路を備え、前記受電部は、前記受電部に入力される電力が前記電力変換回路を経て前記本体回路に供給されるか、又は前記受電部に入力される電力が前記本体回路に直接供給されるかを選択可能に構成される、電力供給システムが提供される。
【０００８】
本発明によれば、電力供給機器から電子機器に対して、ＡＣ電力又は高圧ＤＣ電力で給電することができ、且つ低圧ＤＣ電力で給電することもできる。このため、電力供給機器にＡＣ電力を供給できる環境では、電力供給機器から電子機器に対してＡＣ電力又は高圧ＤＣ電力で給電し、電力供給機器にＡＣ電力を供給できない環境では、電力供給機器に外付バッテリを接続して、電力供給機器から電子機器に対して低圧ＤＣ電力で給電することができる。
【０００９】
例えば、中継車内に電力供給機器を設置し、この電力供給機器と電子機器とを接続して中継を行う場合があるが、このような場合、従来は、電力供給機器から電子機器に給電することができなかったので、電子機器に外付バッテリを装着するしかなかった。一方、本発明によれば、電力供給機器から電子機器に対して低圧ＤＣ電力での給電が可能になるので、電力供給機器に外付バッテリを接続して電力供給機器から電子機器に給電することが可能になり、電子機器に外付バッテリを装着せずに、電子機器が利用可能になる。
【００１０】
以下、本発明の種々の実施形態を例示する。以下に示す実施形態は互いに組み合わせ可能である。
好ましくは、前記電子機器は、前記受電部及び前記本体回路を有する本体部と、前記電力変換回路を有し且つ前記本体部に対して着脱可能に構成された外付回路部を備える。
好ましくは、前記本体回路は、前記電子機器に装着された外付バッテリから供給される電力で動作可能に構成される。
好ましくは、前記電子機器は、前記受電部に入力される電力の種類を判別する受電側制御部を備え、前記受電部は、前記受電側制御部によって制御されて前記選択を行うように構成される。
好ましくは、前記電力供給機器は、前記受電側制御部と通信して前記送電部が出力する電力の種類を決定する送電側制御部を備え、前記送電部は、前記送電側制御部によって制御されて前記選択を行うように構成される。
好ましくは、前記電子機器は、前記受電部に入力される電力を出力する送電部を備える。
好ましくは、前記電力供給機器は、ＡＣ電力と低圧ＤＣ電力の両方が入力可能に構成される。
好ましくは、前記送電部は、前記電力供給機器に入力された前記ＡＣ電力を電力変換回路で変換して得られた前記高圧ＤＣ電力と、前記電力供給機器に入力された前記低圧ＤＣ電力が出力可能に構成される。
好ましくは、前記送電部は、前記電力供給機器に入力された前記ＡＣ電力及び前記低圧ＤＣ電力が出力可能に構成される。
好ましくは、前記高圧ＤＣ電力は、４０〜４００ＶのＤＣ電力であり、前記低圧ＤＣ電力は、２５Ｖ以下のＤＣ電力である。
【００１１】
本発明の別の観点によれば、上記記載の電力供給システムを備える光伝送システムであって、
前記電子機器は、カメラアダプタであり、前記電力供給機器は、ベースステーションであり、前記カメラアダプタと前記ベースステーションの間で光伝送が行われる、光伝送システムが提供される。
【図面の簡単な説明】
【００１２】
【図１】本発明の第１実施形態の光伝送システムの構成を示すブロック図である。
【図２】本発明の第２実施形態の光伝送システムの構成を示すブロック図である。
【図３】本発明の第３実施形態の光伝送システムの構成を示すブロック図である。
【図４】本発明の第４実施形態の光伝送システムの構成を示すブロック図である。
【図５】本発明の第４実施形態の光伝送システムの構成を示すブロック図である。
【発明を実施するための形態】
【００１３】
以下、図面を用いて、本発明の実施形態について説明する。以下に示す実施形態中で示した各種特徴事項は、互いに組み合わせ可能である。また、各特徴事項について独立して発明が成立する。
【００１４】
以下の実施形態では、光伝送システムでの電力供給システムを例に挙げて説明するが、本発明の電力供給システムは、任意の電子機器と電力供給機器の組み合わせに適用可能である。以下の実施形態では、カメラアダプタが電子機器であり、ベースステーションが電力供給機器である。
【００１５】
１．第１実施形態
１−１．光伝送システムの構成
以下、図１を用いて、本発明の第１実施形態の光伝送システムについて説明する。図１に示すように、本発明の第１実施形態の光伝送システムは、ビデオカメラに設置されるカメラアダプタ１と、ビデオカメラから離れた位置に配置されるベースステーション５との間で光信号を光伝送する光伝送システムにおいて、カメラアダプタ１は、ビデオカメラからの映像信号を含む第１電気信号を第１光信号に変換してベースステーション５に伝送し、ベースステーション５は、第１光信号を受信して第１電気信号に変換して外部機器に対して出力する。ベースステーション５は、外部機器からの映像信号を含む第２電気信号を第２光信号に変換してカメラアダプタ１に伝送し、カメラアダプタ１は、第２光信号を受信して第２電気信号に変換して外部出力する。
以下、各構成要素について説明する。
【００１６】
１−２．カメラアダプタ１
カメラアダプタ１には、第１電気信号入力端子、第２電気信号出力端子、及び複合ケーブル７の接続端子が設けられている。
【００１７】
第１電気信号は、少なくとも映像信号を含んでいればよく、インカム音声信号や、種々の制御信号をさらに含んでいてもよい。従って、第１電気信号入力端子は、例えば、映像信号入力端子、インカム音声信号入力端子、及び制御信号入力端子で構成される。第１電気信号の映像信号は、好ましくは、デジタル信号であり、例えば、ＳＤＩ信号（例：ＨＤ−ＳＤＩ信号、ＳＤ−ＳＤＩ、３Ｇ−ＳＤＩ信号）、ＨＤＭＩ信号、３Ｄ等である。第１電気信号の映像信号入力端子には、ビデオカメラの映像信号出力端子に接続されるケーブルが接続され、第１電気信号の音声信号入力端子には、ヘッドセットに接続されるケーブルが接続され、第１電気信号の制御信号入力端子には、ビデオカメラの制御信号出力端子に接続されるケーブルが接続される。
【００１８】
第２電気信号は、少なくとも映像信号を含んでいればよく、インカム音声信号や、種々の制御信号をさらに含んでいてもよい。従って、第２電気信号出力端子は、例えば、映像信号出力端子、インカム音声信号出力端子、及び制御信号出力端子で構成される。第２電気信号の映像信号は、好ましくは、デジタル信号であり、例えば、ＳＤＩ信号（例：ＨＤ−ＳＤＩ信号、ＳＤ−ＳＤＩ、３Ｇ−ＳＤＩ信号）、ＨＤＭＩ信号、３Ｄ等である。第２電気信号の映像信号出力端子には、ビデオカメラ用のビューファインダー等の映像表示装置の映像信号入力端子に接続されるケーブルが接続され、第２電気信号の音声信号出力端子には、ヘッドセットに接続されるケーブルが接続され、第２電気信号の制御信号出力端子には、ビデオカメラの制御信号入力端子に接続されるケーブルが接続される。第１電気信号の音声信号入力端子と第２電気信号の音声信号出力端子は、同じコネクタの異なるピンに割り当てることができる。
【００１９】
複合ケーブル７の接続端子には、カメラアダプタ１とベースステーション５を接続する複合ケーブル７が接続される。複合ケーブル７には、光伝送のための光ファイバ７ａと、送電のための電源ケーブル７ｂと、通信のための通信ケーブル７ｃが含まれている。
【００２０】
１−３．ベースステーション５
ベースステーション５には、第１電気信号出力端子、第２電気信号入力端子、及び複合ケーブル７の接続端子が設けられている。
【００２１】
第１電気信号出力端子は、例えば、映像信号出力端子、インカム音声信号出力端子、及び制御信号出力端子で構成される。第１電気信号の映像信号出力端子には、スイッチャーや中継機器などの外部機器の映像信号入力端子に接続されるケーブルが接続され、第１電気信号の音声信号出力端子には、ヘッドセットに接続されるケーブルが接続され、第１電気信号の制御信号出力端子には、外部機器の制御信号入力端子に接続されるケーブルが接続される。
【００２２】
第２電気信号入力端子は、例えば、映像信号入力端子、インカム音声信号入力端子、及び制御信号入力端子で構成される。第２電気信号の映像信号入力端子には、外部機器の映像信号出力端子に接続されるケーブルが接続され、第２電気信号の音声信号入力端子には、ヘッドセットに接続されるケーブルが接続され、第２電気信号の制御信号入力端子には、外部機器の制御信号出力端子に接続されるケーブルが接続される。第１電気信号の音声信号出力端子と第２電気信号の音声信号入力端子は、同じコネクタの異なるピンに割り当てることができる。
【００２３】
複合ケーブル７の接続端子には、カメラアダプタ１とベースステーション５を接続する複合ケーブル７が接続される。
【００２４】
１−４．光伝送システムの動作
以下、光伝送システムの動作をより詳しく説明する。
まず、カメラアダプタ１には、ビデオカメラからの映像信号を含む第１電気信号が入力される。第１電気信号は、カメラアダプタ１内のＥＯ変換部１１によって第１光信号に変換され、第１光信号が複合ケーブル７を介してベースステーション５へ伝送される。
【００２５】
ベースステーション５では、ＯＥ変換部１７において第１光信号を受信して第１電気信号に変換し、スイッチャーや中継装置などの外部機器に出力する。
【００２６】
また、ベースステーション５には、スイッチャーや中継装置などの外部機器からの映像信号を含む第２電気信号が入力される。第２電気信号は、ＥＯ変換部１９において第２光信号に変換されてカメラアダプタ１に伝送される。第２光信号は、第１光信号と異なる光ファイバを用いて伝送してもよく、多重化によって第１光信号と同じ光ファイバを用いて伝送してもよい。
【００２７】
カメラアダプタ１では、ＯＥ変換部２５において第２光信号を受信して第２電気信号に変換して、ビデオカメラに設置された映像表示装置等に外部出力する。
【００２８】
１−５．電力供給システム
カメラアダプタ１は、低圧ＤＣ電力で動作する本体回路３４を備えており、本体回路３４によってカメラアダプタ１の各種機能（ＯＥ変換、ＥＯ変換、ＬＥＤ点灯など）が実現される。低圧ＤＣ電力とは、本体回路３４の電源電圧であり、好ましくは電圧が２５Ｖ以下のＤＣ電力である。この電圧は、８〜２５Ｖが好ましく、１０〜２０Ｖがさらに好ましい。カメラアダプタ１は、外付バッテリ３５が装着可能になっている。外付バッテリ３５は、低圧ＤＣ電力を供給可能に構成されており、この電力はそのまま本体回路３４を動作させるために利用可能である。
【００２９】
カメラアダプタ１は、ベースステーション５から給電することもできる。ベースステーション５には、ＡＣ電源２６からのＡＣ電力を入力することができ、入力されたＡＣ電力はＡＣ−ＤＣ変換回路２７において高圧ＤＣ電力に変換されて送電部２９に入力される。高圧ＤＣ電力は、ＤＣ−ＤＣ変換によって低圧ＤＣ電力に変換可能な電力であり、好ましくは電圧が４０〜４００Ｖ、さらに好ましくは６０〜３００Ｖ、さらに好ましくは、８０〜２００Ｖ、さらに好ましくは、１００〜２００ＶであるＤＣ電力である。
【００３０】
また、ベースステーション５には、外付バッテリ２８が装着可能であり、外付バッテリ２８からの低圧ＤＣ電力は、そのまま送電部２９に入力される。送電部２９は、リレーなどの結線切替装置を備えている。送電部２９の結線切替装置は、送電側制御部３０からの結線切替信号によって、送電部２９から高圧ＤＣ電力と低圧ＤＣ電力の何れを出力するのかを選択可能に構成されている。
【００３１】
ベースステーション５の送電側制御部３０は、通信ケーブル７ｃを通じて、カメラアダプタ１の受電側制御部３２と通信可能になっており、制御部３０，３２の間の通信によって送電側制御部３０は、カメラアダプタ１に対して伝送可能な電力の種類を判別する。本実施形態では、ＤＣ−ＤＣ変換回路３３がカメラアダプタ１に内蔵されているので、高圧ＤＣ電力と低圧ＤＣ電力の何れもが伝送可能であると判断される。
【００３２】
このように、送電部２９に高圧ＤＣ電力と低圧ＤＣ電力の両方が入力されており、且つカメラアダプタ１が高圧ＤＣ電力と低圧ＤＣ電力の何れも受電可能である場合、送電側制御部３０は、伝送効率を考慮して、送電部２９から高圧ＤＣ電力を出力すると決定し、高圧ＤＣ電力が出力されるように送電部２９を制御する結線切替信号を出力する。この信号に基づいて送電部２９から高圧ＤＣ電力が出力され、この電力が電源ケーブル７ｂを通じてカメラアダプタ１に供給される。また、高圧ＤＣ電力が供給されることを送電側制御部３０が受電側制御部３２に知らせることによって、受電側制御部３２は、受電部３１に入力される電力が高圧ＤＣ電力であると判別することができる。
【００３３】
受電部３１は、リレーなどの結線切替装置を備えている。受電部３１の結線切替装置は、受電側制御部３２からの結線切替信号によって、受電部３１に入力される電力がＤＣ−ＤＣ変換回路３３を経て本体回路３４に供給されるか、又は受電部３１に入力される電力が本体回路３４に直接供給されるかを選択可能に構成されている。
【００３４】
受電側制御部３２は、受電部３１に入力される電力が高圧ＤＣ電力であると判別すると、受電部３１に対して結線切替信号を出力して、受電部３１に入力される高圧ＤＣ電力がＤＣ−ＤＣ変換回路３３において低圧ＤＣ電力に変換された後に本体回路３４に供給されるように受電部３１を制御する。この状態で、受電部３１に高圧ＤＣ電力が入力されると、この電力がＤＣ−ＤＣ変換回路３３で低圧ＤＣ電力に変換され、この低圧ＤＣ電力が本体回路３４に供給される。
【００３５】
一方、ベースステーション５にＡＣ電力が供給されない場合、送電部２９には低圧ＤＣ電力のみが供給される。この場合、送電部２９は、電源ケーブル７ｂを通じて、低圧ＤＣ電力をカメラアダプタ１に供給する。また、低圧ＤＣ電力が供給されることを送電側制御部３０が受電側制御部３２に知らせることによって、受電側制御部３２は、受電部３１に入力される電力が低圧ＤＣ電力であると判別することができる。
【００３６】
受電部３１は、受電側制御部３２の判別に基づいて、受電部３１に入力される低圧ＤＣ電力が本体回路３４に直接供給されるように切り替わり、本体回路３４に低圧ＤＣ電力が供給される。
【００３７】
このように、本実施形態では、低圧ＤＣ電力をベースステーション５からカメラアダプタ１に供給可能であるので、ベースステーション５にＡＣ電力を供給できない場合でも、カメラアダプタ１に外付バッテリを装着することなく、カメラアダプタ１に給電することができる。
【００３８】
本発明は、以下の態様でも実施可能である。
・上記実施形態では、制御部３０，３２によって送電部２９及び受電部３１の結線切替装置が制御されていたが、結線切替装置にスイッチを設け、このスイッチを用いて手動で切り替えるように構成してもよい。例えば、安全性などを考慮して、低圧ＤＣ電力での給電を行いたい場合には、送電部２９及び受電部３１のスイッチを操作して、送電部２９から低圧ＤＣ電力が出力され、受電部３１に入力された低圧ＤＣ電力が本体回路３４に直接入力されるように設定することができる。
・上記実施形態では、ＡＣ−ＤＣ変換回路２７は、ＡＣ電力を高圧ＤＣ電力に変換するように構成されているが、ＡＣ電力を高圧ＤＣ電力と低圧ＤＣ電力の何れにも変換可能に構成してもよい。この場合、例えば、ＡＣ−ＤＣ変換回路２７に設けた操作部（スイッチ、ボリュームなど）によって出力電圧を変更することができる。
・制御部３０，３２の間の通信は、電源ケーブル７ｂを介して行ってもよい。
【００３９】
２．第２実施形態
図２を用いて、本発明の第２実施形態について説明する。本実施形態は、第１実施形態に類似しており、カメラアダプタ１が受電部３１及び本体回路３４を有する本体部１ａと、ＤＣ−ＤＣ変換回路３３を有し且つ本体部１ａに対して着脱可能に構成された外付回路部１ｂを備える点が主な相違点である。
【００４０】
本実施形態では、外付回路部１ｂを本体部１ａから取り外し、本体部１ａのみをビデオカメラに装着して使用することができる。外付回路部１ｂを取り外すことによってカメラアダプタ１が軽量化されて、カメラマンの負担を低減することができる。
【００４１】
ベースステーション５とカメラアダプタ１の距離が長い場合は、送電ロスを低減するために、高圧ＤＣ電力での送電が有利である。従って、このような場合は、外付回路部１ｂを装着し、ベースステーション５からカメラアダプタ１に高圧ＤＣ電力で給電し、高圧ＤＣ電力をＤＣ−ＤＣ変換回路３３で低圧ＤＣ電力に変換して本体回路３４に供給する。
【００４２】
一方、ベースステーション５とカメラアダプタ１の距離が比較的短い場合には、送電ロスの影響が小さいので、カメラアダプタ１の軽量化を優先して、外付回路部１ｂを取り外すことができる。この場合、ベースステーション５からカメラアダプタ１に低圧ＤＣ電力で給電し、この低圧ＤＣ電力を本体回路３４に供給することができる。ベースステーション５から出力される低圧ＤＣ電力は、外付バッテリ２８からベースステーション５に供給されるものであってもよく、ＡＣ−ＤＣ変換回路２７においてＡＣ電力を低圧ＤＣ電力に変換して得られるものであってもよい。従って、本実施形態では、ＡＣ−ＤＣ変換回路２７は、ＡＣ電力を高圧ＤＣ電力と低圧ＤＣ電力の何れにも変換可能に構成されていることが好ましい。
【００４３】
３．第３実施形態
図３を用いて、本発明の第３実施形態について説明する。本実施形態は、第２実施形態に類似しており、ベースステーション５からカメラアダプタに対してＡＣ電力での給電が可能である点が主な相違点である。
【００４４】
本実施形態では、ベースステーション５に入力されたＡＣ電力をそのまま送電部２９から出力させることができるので、ＡＣ−ＤＣ変換回路が不要であり、ベースステーション５の小型化が可能になる。カメラアダプタ１には、ＤＣ−ＤＣ変換回路３３の代わりに、ＡＣ−ＤＣ変換回路４１が設けられており、受電部３１に入力されたＡＣ電力は、ＡＣ−ＤＣ変換回路４１で低圧ＤＣ電力に変換されて本体回路３４に供給される。
【００４５】
本発明は、以下の態様でも実施可能である。
・ベースステーション５に昇圧回路を設けて、ＡＣ電力を昇圧した後に送電してもよい。この場合、送電ロスを低減することができる。
・第２及び第３実施形態を組み合わせてもよい。この場合、ＡＣ電力、高圧ＤＣ電力、低圧ＤＣ電力の何れで送電することも可能になる。
【００４６】
４．第４実施形態
図４〜図５を用いて、本発明の第４実施形態について説明する。本実施形態は、第１実施形態に類似しており、ベースステーション５とカメラアダプタ１の間にカメラアダプタ２が設けられている点が主な相違点である。以下、相違点を中心に説明する。
【００４７】
カメラアダプタ１とカメラアダプタ２は、複合ケーブル８で連結されている。複合ケーブル８は、光伝送のための光ファイバ８ａと、送電のための電源ケーブル８ｂと、通信のための通信ケーブル８ｃが含まれている。カメラアダプタ２とベースステーション５は、複合ケーブル７で連結されている。
【００４８】
カメラアダプタ２は、ＯＥ変換器１３，２１と、ＥＯ変換器１５，２３を備える。カメラアダプタ１からの第１光信号は、ＯＥ変換器１３によって第１電気信号に変換される。第３電気信号がカメラアダプタ２に入力され、第１及び第３電気信号がＥＯ変換器１５によって第１及び第３光信号に変換される。第３電気信号は、少なくとも映像信号を含んでいればよく、インカム音声信号や、種々の制御信号をさらに含んでいてもよい。
【００４９】
第１及び第３光信号は、ベースステーション５において、ＥＯ変換器１７によって第１及び第３電気信号に変換されて外部機器に出力される。カメラアダプタ２のＯＥ変換器２１は、ベースステーション５からの第２光信号を第２電気信号に変換する。第２電気信号は、表示装置に出力されると共に、ＥＯ変換器２３で第２光信号に変換されてカメラアダプタ１に向けて出力される。
【００５０】
カメラアダプタ２は、カメラアダプタ１と同様の受電部３１、受電側制御部３２、ＤＣ−ＤＣ変換回路３３、及び本体回路３４に加えて、ベースステーション５の送電部２９及び送電側制御部３０と同様の機能を有する送電部２９ａ及び送電側制御部３０ａを備える。ベースステーション５からカメラアダプタ２に供給された電力は、受電部３１に入力されると共に、送電部２９ａにも入力される。カメラアダプタ２の送電部２９ａは、ベースステーション１の送電部２９と同様の動作によって、カメラアダプタ１に向けて低圧ＤＣ電力又は高圧ＤＣ電力を供給する。
【００５１】
本実施形態の構成によれば、カメラアダプタ１とベースステーション５を直接連結することなく、カメラアダプタ１とベースステーション５の間で信号及び電力の伝送が可能になり、ケーブル長の短縮が可能である。
【００５２】
本発明は、以下の態様でも実施可能である。
・第２〜第３実施形態で開示した構成は、本実施形態にも適用可能である。
【要約】      （修正有）【課題】電力供給機器にＡＣ電力を供給できない場合でも電子機器に外付バッテリを装着することなく、電子機器を使用可能な電力供給システムを提供する。【解決手段】電力供給機器であるベースステーション５から、電子機器であるカメラアダプタ１に給電を行う電力供給システムであって、ベースステーションは、高圧ＤＣ電力と低圧ＤＣ電力を選択可能に出力する送電部２９を備える。カメラアダプタは、高圧ＤＣ電力と低圧ＤＣ電力が入力される受電部３１と、高圧ＤＣ電力を低圧ＤＣ電力に変換するＤＣ−ＤＣ変換回路３３と、低圧ＤＣ電力で動作する本体回路３４を備える。受電部は、入力される電力がＤＣ−ＤＣ変換回路を経て本体回路に供給されるか、又は、入力される電力が本体回路に直接供給されるかを選択可能に構成される。【選択図】図１【図１】
0005922294.tif 000002
【図２】
0005922294.tif 000003
【図３】
0005922294.tif 000004
【図４】
0005922294.tif 000005
【図５】
0005922294.tif 000006